(57)【要約】【課題】可動子を駆動させる駆動機構としてハルバッハ配列によって配列された磁石を用いた全く新しい構造の燃料ポンプを提供する。【解決手段】燃料ポンプは、第１加圧室６３内の燃料を加圧する可動子としての第１プランジャ６０及び可動体１３０と、可動子を駆動する駆動機構１４０とを有する。駆動機構１４０は、複数の磁石１５０からなる磁石列１５０Ａと、複数の磁石１５０の各々の外周に設けられた複数の歯車１６０からなる歯車列１６０Ａと、磁石列１５０Ａの配列を、磁石列１５０Ａの一方側に磁場が集中する第１ハルバッハ配列と、他方側に磁場が集中する第２ハルバッハ配列とに切り換えるアクチュエータとしてのモータ１７０及び制御装置１７１を有している。可動子は、磁石列１５０Ａが第１ハルバッハ配列になっているときに第１方向に移動し、磁石列１５０Ａが第２ハルバッハ配列になっているときに第１方向と反対の第２方向に移動する。【選択図】図２
2019019756.tif 000002
【特許請求の範囲】
【請求項１】
往復動することにより加圧室内の燃料を加圧する可動子と、
前記可動子を駆動する駆動機構とを有する燃料ポンプであって、
前記駆動機構は、
所定方向に配列された複数の磁石からなる磁石列と、
前記複数の磁石の各々の外周に設けられた複数の歯車からなり、前記所定方向に隣接して配置された歯車が噛み合っている歯車列と、
前記歯車を回転させることで各磁石の位相を変化させて、前記磁石列における各磁石の配列を、前記磁石列の一方側に磁場が集中する第１ハルバッハ配列と、前記磁石列の他方側に磁場が集中する第２ハルバッハ配列とに切り換えるアクチュエータとを有し、
前記可動子は、前記磁石列が前記第１ハルバッハ配列になっているときに前記一方側に発生する磁場によって第１方向に移動し、前記磁石列が前記第２ハルバッハ配列になっているときに前記他方側に発生する磁場によって前記第１方向と反対方向の第２方向に移動することによって往復動する燃料ポンプ。
【発明の詳細な説明】
【技術分野】
【０００１】
本発明は、燃料ポンプに関する。
【背景技術】
【０００２】
特許文献１には、複数の磁石を有する固定子と、コイルを有する可動子とを備えるリニアモータが開示されている。リニアモータでは、コイルへ通電することにより推力を発生させて、ステータに対して直線上に可動子を移動させる。固定子では、複数の磁石をハルバッハ配列という配列方法によって配列している。ハルバッハ配列では、複数の磁石が隣接して配置される。隣接して配置された磁石は、磁極の配置方向が９０°ずれるように並べられている。このように、複数の磁石をハルバッハ配列となるように配列することで、磁石の特定の側に磁場を集中させて推力の発生効率を高めている。特許文献１に記載のリニアモータでは、コイルへの通電量を調節することで、可動子の移動量を制御している。
【先行技術文献】
【特許文献】
【０００３】
【特許文献１】特開２０１３‐２１５０２１号公報
【発明の概要】
【発明が解決しようとする課題】
【０００４】
燃料ポンプは、加圧室内の燃料を加圧する可動子を備えている。特許文献１に記載のリニアモータでは、可動子に設けられたコイルへの通電量を調節することで、可動子の移動量を制御しているが、こうしたリニアモータを燃料ポンプに適用することについては開示がない。ましてや、ハルバッハ配列によって配列された磁石による磁力を用いて燃料ポンプの可動子を駆動させることも何ら検討されていない。
【課題を解決するための手段】
【０００５】
上記課題を解決するための燃料ポンプは、往復動することにより加圧室内の燃料を加圧する可動子と、前記可動子を駆動する駆動機構とを有する燃料ポンプであって、前記駆動機構は、所定方向に配列された複数の磁石からなる磁石列と、前記複数の磁石の各々の外周に設けられた複数の歯車からなり、前記所定方向に隣接して配置された歯車が噛み合っている歯車列と、前記歯車を回転させることで各磁石の位相を変化させて、前記磁石列における各磁石の配列を、前記磁石列の一方側に磁場が集中する第１ハルバッハ配列と、前記磁石列の他方側に磁場が集中する第２ハルバッハ配列とに切り換えるアクチュエータとを有し、前記可動子は、前記磁石列が前記第１ハルバッハ配列になっているときに前記一方側に発生する磁場によって第１方向に移動し、前記磁石列が前記第２ハルバッハ配列になっているときに前記他方側に発生する磁場によって前記第１方向と反対方向の第２方向に移動することによって往復動する。
【０００６】
上記構成では、磁石列における各磁石の位相を変化させることにより、複数の磁石の配列を第１ハルバッハ配列及び第２ハルバッハ配列とで切り換える。磁石の配列が切り換わると、磁場の発生方向が変化して可動子の移動方向が変化する。このように、磁場の発生方向を制御することにより、可動子を往復動させて燃料を加圧する。したがって、上記構成によれば、可動子を駆動させる駆動機構としてハルバッハ配列によって配列された磁石を用いた全く新しい構造を提供することができる。
【図面の簡単な説明】
【０００７】
【図１】燃料ポンプの一実施形態を備える燃料供給系の構成を示す模式図。
【図２】燃料ポンプの構成を示す断面図。
【図３】駆動機構の磁石列及び歯車列の構成を示す斜視図。
【図４】磁石列が第１ハルバッハ配列となっているときの磁場の発生方向を模式的に示す正面図。
【図５】磁石列が第２ハルバッハ配列となっているときの磁場の発生方向を模式的に示す正面図。
【図６】磁石列が第１ハルバッハ配列となっているときの可動体の動きを示す燃料ポンプの断面図。
【図７】磁石列が第２ハルバッハ配列となっているときの可動体の動きを示す燃料ポンプの断面図。
【図８】燃料ポンプの変形例の一部の構成を示す断面図。
【図９】燃料ポンプの他の変形例の構成を示す断面図。
【図１０】燃料ポンプの他の変形例の構成を示す断面図。
【発明を実施するための形態】
【０００８】
燃料ポンプの一実施形態について、図１〜図７を参照して説明する。本実施形態は、車載エンジンの燃料供給系に用いられる燃料ポンプを例に説明する。
図１に示すように、車載エンジンの燃料供給系１０は、燃料タンク１１を有している。燃料タンク１１の内部には、燃料ポンプ２０が配置されている。燃料ポンプ２０には、燃料供給通路１２の一端が連結されている。燃料供給通路１２の他端には、デリバリパイプ１３が連結されている。デリバリパイプ１３には、複数の燃料噴射弁１４が連結されている。燃料ポンプ２０は、燃料タンク１１内の燃料を燃料供給通路１２に圧送する。燃料供給通路１２に圧送された燃料は、デリバリパイプ１３を通じて各燃料噴射弁１４に供給され、各燃料噴射弁１４から噴射される。
【０００９】
図２に示すように、燃料ポンプ２０は、燃料タンク１１内の燃料を吸引して加圧する第１ポンプ部３０と、第１ポンプ部３０が連結されているケース部７０と、ケース部７０における第１ポンプ部３０が連結されている側とは反対側（図２の上側）に連結されている第２ポンプ部８０とを有している。
【００１０】
ケース部７０は、第１ポンプ部３０が連結されている第１側壁７１を有している。第１側壁７１は、円板状に形成されている。第１側壁７１の中央部分には、第１貫通孔７１Ａが形成されている。ケース部７０は、第１側壁７１の周縁から立設されていて、円筒状に形成されている周壁７２を有している。周壁７２の内周面には、第１ストッパ７３と第２ストッパ７４とが設けられている。第１ストッパ７３及び第２ストッパ７４は、周壁７２の軸線Ｌ１の延伸方向（図２の上下方向）における中央部分に配置されている。第１ストッパ７３及び第２ストッパ７４は、軸線Ｌ１の延伸方向（以下、単に「軸方向」という。）において互いに所定距離離間している。
【００１１】
第１ストッパ７３は、周壁７２の内周面から所定高さ立設している。第１ストッパ７３は、周方向に所定長さ延びている第１１ストッパ部７３Ａと、第１１ストッパ部７３Ａから周方向に離間して配置された第１２ストッパ部７３Ｂとからなる。第１２ストッパ部７３Ｂは、周方向に所定長さ延びている。第２ストッパ７４は、周壁７２の内周面から所定高さ立設している。第２ストッパ７４は、周方向に所定長さ延びている第２１ストッパ部７４Ａと、第２１ストッパ部７４Ａから周方向に離間して配置された第２２ストッパ部７４Ｂとからなる。第２２ストッパ部７４Ｂは、周方向に所定長さ延びている。第１１ストッパ部７３Ａと第２１ストッパ部７４Ａとは、上記軸方向において対向している。第１２ストッパ部７３Ｂと第２２ストッパ部７４Ｂとは、上記軸方向において対向している。
【００１２】
周壁７２の先端（図２の上端）には、第２側壁７５が連結されている。第２側壁７５は、円板状に形成されていて、周壁７２の先端を閉塞するように配置されている。第２側壁７５の中央部分には、第２貫通孔７５Ａが形成されている。ケース部７０は、第１側壁７１、周壁７２、及び第２側壁７５によって箱状に形成されていて、これらは一体物として構成されている。
【００１３】
第１ポンプ部３０は、第１側壁７１に固定されている第１固定部３１を有している。第１固定部３１は、円柱状に形成されている第１本体３２と、第１本体３２と第１側壁７１との間に配置されている第１フランジ３３と、第１フランジ３３から立設されている第１挿通体３４とからなる。第１フランジ３３は、第１本体３２よりも拡径されていて、第１側壁７１と当接している。第１挿通体３４は、第１フランジ３３から第１貫通孔７１Ａを貫通して、ケース部７０の内域まで延びている。第１挿通体３４は、その外径が第１貫通孔７１Ａの直径と同じである。そのため、第１挿通体３４の外周面は、第１側壁７１の内周面と当接している。第１固定部３１には、上記軸方向に延びている第１シリンダ３５が形成されている。第１シリンダ３５は、第１挿通体３４の一端面（図２の上端面）から第１本体３２の内部まで延びている。
【００１４】
第１本体３２には、上記軸方向と直交する直交方向（図２の左右方向）に延びていて、第１シリンダ３５と連通している第１１直交孔３６及び第１２直交孔３７が形成されている。第１１直交孔３６と第１２直交孔３７とは、第１シリンダ３５から互いに反対方向に延びている。第１１直交孔３６は、第１シリンダ３５と連通している第１１小径部３６Ａと、第１１小径部３６Ａから第１本体３２の側周面まで延びて開口している第１１大径部３６Ｂとを有している。第１１大径部３６Ｂには、第１吸入弁４０が挿入されて嵌合している。
【００１５】
第１吸入弁４０は、円柱形状に形成されていて、第１本体３２から突出した状態で組付けられている。第１吸入弁４０には、上記直交方向に貫通して延びている第１吸入通路４１が形成されている。第１吸入通路４１は、第１１小径部３６Ａに接続されている第１１吸入路４１Ａと、第１１吸入路４１Ａに接続されていて、第１１吸入路４１Ａよりも拡径されている第１２吸入路４１Ｂと、第１２吸入路４１Ｂに接続されていて、第１１吸入路４１Ａと直径が同じである第１３吸入路４１Ｃとからなる。第１２吸入路４１Ｂには、第１１逆止弁４２が配置されている。第１１逆止弁４２は、第１１弁体４３と、該第１１弁体４３を第１３吸入路４１Ｃ側に付勢する第１１ばね４４とからなる。第１１弁体４３は、第１３吸入路４１Ｃ側（図２の左側）の端面に当接している第１１付勢部４３Ａと、第１１付勢部４３Ａの中央部から第１１吸入路４１Ａ側（図２の右側）に膨出している第１１膨出部４３Ｂとからなる。第１１膨出部４３Ｂは、半球状に形成されている。第１１ばね４４は、一端が第１２吸入路４１Ｂにおける第１１吸入路４１Ａ側の端面に当接し、他端が第１１弁体４３の第１１付勢部４３Ａに当接している。第１３吸入路４１Ｃは、燃料タンク１１内と連通している。
【００１６】
第１２直交孔３７は、第１シリンダ３５と連通している第１２小径部３７Ａと、第１２小径部３７Ａから第１本体３２の側周面まで延びて開口している第１２大径部３７Ｂとを有している。第１２大径部３７Ｂには、第１吐出弁５０が挿入されて嵌合している。第１吐出弁５０は、円柱形状に形成されていて、第１本体３２から突出した状態で組付けられている。第１吐出弁５０と第１吸入弁４０とは、上記直交方向に並んで配置されている。第１吐出弁５０には、上記直交方向に貫通して延びている第１吐出通路５１が形成されている。第１吐出通路５１は、第１２小径部３７Ａに接続されている第１１吐出路５１Ａと、第１１吐出路５１Ａに接続されていて、第１１吐出路５１Ａよりも拡径されている第１２吐出路５１Ｂと、第１２吐出路５１Ｂに接続されていて、第１１吐出路５１Ａと直径が同じである第１３吐出路５１Ｃとからなる。第１２吐出路５１Ｂには、第１２逆止弁５２が配置されている。
【００１７】
第１２逆止弁５２は、第１２弁体５３と、該第１２弁体５３を第１１吐出路５１Ａ側に付勢する第１２ばね５４とからなる。第１２弁体５３は、第１１吐出路５１Ａ側（図２の左側）の端面に当接している第１２付勢部５３Ａと、第１２付勢部５３Ａの中央部から第１３吐出路５１Ｃ側（図２の右側）に膨出している第１２膨出部５３Ｂとからなる。第１２膨出部５３Ｂは、半球状に形成されている。第１２ばね５４は、一端が第１２吐出路５１Ｂにおける第１３吐出路５１Ｃ側の端面に当接し、他端が第１２弁体５３の第１２付勢部５３Ａに当接している。
【００１８】
第１ポンプ部３０は、第１シリンダ３５に挿通され、該第１シリンダ３５内を摺動可能な第１プランジャ６０を有している。第１プランジャ６０は、円柱棒状に形成されていて、その一端部（図２の下端部）が第１挿通体３４側から第１シリンダ３５に挿通されている。第１プランジャ６０の他端部は、ケース部７０の内域に配置されている。第１プランジャ６０の他端部には、第１凹条６０Ａが形成されている。第１凹条６０Ａは、周方向全周に亘って延びている。そのため、第１プランジャ６０は、第１凹条６０Ａが形成されている部分が部分的に縮径されたようになっている。第１凹条６０Ａには、円環板状の第１台座６１が連結されている。第１台座６１は、第１凹条６０Ａに挿通されている第１中央部６１Ａと、該第１中央部６１Ａから径方向外側に湾曲して延びている第１湾曲部６１Ｂと、第１湾曲部６１Ｂから径方向外側に平板状に延びている第１平板部６１Ｃとからなる。第１平板部６１Ｃと第１固定部３１の第１挿通体３４との間には、第１圧縮ばね６２が配置されている。第１圧縮ばね６２は、第１台座６１を第１固定部３１から離間する方向、すなわち、第１プランジャ６０を第１シリンダ３５から引き抜く方向（図２の上方）に付勢している。なお、第１シリンダ３５、第１プランジャ６０、第１１小径部３６Ａ、第１１吸入路４１Ａ、第１２吸入路４１Ｂ、第１２小径部３７Ａ、及び第１１吐出路５１Ａによって、第１ポンプ部３０の第１加圧室６３が構成されている。
【００１９】
第２ポンプ部８０は、第２側壁７５に固定されている第２固定部８１を有している。第２固定部８１は、円柱状に形成されている第２本体８２と、第２本体８２と第２側壁７５との間に配置されている第２フランジ８３と、第２フランジ８３から立設されている第２挿通体８４とからなる。第２フランジ８３は、第２本体８２よりも拡径されていて、第２側壁７５と当接している。第２挿通体８４は、第２フランジ８３から第２貫通孔７５Ａを貫通して、ケース部７０の内域まで延びている。第２挿通体８４は、その外径が第２側壁７５の第２貫通孔７５Ａの直径と同じである。そのため、第２挿通体８４の外周面は、第２側壁７５の内周面と当接している。第２固定部８１には、上記軸方向に延びている第２シリンダ８５が形成されている。第２シリンダ８５は、第２挿通体８４の一端面（図２の下端面）から第２本体８２の内部まで延びている。
【００２０】
第２本体８２には、上記直交方向に延びていて、第２シリンダ８５と連通している第２１直交孔８６及び第２２直交孔８７が形成されている。第２１直交孔８６と第２２直交孔８７とは、第２シリンダ８５から互いに反対方向に延びている。第２１直交孔８６は、第２シリンダ８５と連通している第２１小径部８６Ａと、第２１小径部８６Ａから第２本体８２の側周面まで延びて開口している第２１大径部８６Ｂとを有している。第２１大径部８６Ｂには、第２吸入弁９０が挿入されて嵌合している。
【００２１】
第２吸入弁９０は、円柱形状に形成されていて、第２本体８２から突出した状態で組付けられている。第２吸入弁９０には、上記直交方向に貫通して延びている第２吸入通路９１が形成されている。第２吸入通路９１は、第２１小径部８６Ａに接続されている第２１吸入路９１Ａと、第２１吸入路９１Ａに接続されていて、第２１吸入路９１Ａよりも拡径されている第２２吸入路９１Ｂと、第２２吸入路９１Ｂに接続されていて、第２１吸入路９１Ａと直径が同じである第２３吸入路９１Ｃとからなる。第２２吸入路９１Ｂには、第２１逆止弁９２が配置されている。
【００２２】
第２１逆止弁９２は、第２１弁体９３と、該第２１弁体９３を第２３吸入路９１Ｃ側（図２の右側）に付勢する第２１ばね９４とからなる。第２１弁体９３は、第２３吸入路９１Ｃ側の端面に当接している第２１付勢部９３Ａと、第２１付勢部９３Ａの中央部から第２１吸入路９１Ａ側（図２の左側）に膨出している第２１膨出部９３Ｂとからなる。第２１膨出部９３Ｂは、半球状に形成されている。第２１ばね９４は、一端が第２２吸入路９１Ｂにおける第２１吸入路９１Ａ側の端面に当接し、他端が第２１弁体９３の第２１付勢部９３Ａに当接している。第２吸入弁９０には、低圧燃料配管１２０の一端が連結されている。低圧燃料配管１２０の他端は、第１吐出弁５０に連結されている。すなわち、第１吐出弁５０の第１３吐出路５１Ｃと第２吸入弁９０の第２３吸入路９１Ｃとは、低圧燃料配管１２０を通じて連通している。
【００２３】
第２２直交孔８７は、第２シリンダ８５と連通している第２２小径部８７Ａと、第２２小径部８７Ａから第２本体８２の側周面まで延びて開口している第２２大径部８７Ｂとを有している。第２２大径部８７Ｂには、第２吐出弁１００が挿入されて嵌合している。第２吐出弁１００は、円柱形状に形成されていて、第２本体８２から突出した状態で組付けられている。第２吐出弁１００と第２吸入弁９０とは、上記直交方向に並んで配置されている。第２吐出弁１００には、上記直交方向に貫通して延びている第２吐出通路１０１が形成されている。第２吐出通路１０１は、第２２小径部８７Ａに接続されている第２１吐出路１０１Ａと、第２１吐出路１０１Ａに接続されていて、第２１吐出路１０１Ａよりも拡径されている第２２吐出路１０１Ｂと、第２２吐出路１０１Ｂに接続されていて、第２１吐出路１０１Ａと直径が同じである第２３吐出路１０１Ｃとからなる。第２２吐出路１０１Ｂには、第２２逆止弁１０２が配置されている。
【００２４】
第２２逆止弁１０２は、第２２弁体１０３と、該第２２弁体１０３を第２１吐出路１０１Ａ側に付勢する第２２ばね１０４とからなる。第２２弁体１０３は、第２１吐出路１０１Ａ側（図２の右側）の端面に当接している第２２付勢部１０３Ａと、第２２付勢部１０３Ａの中央部から第２３吐出路１０１Ｃ側（図２の左側）に膨出している第２２膨出部１０３Ｂとからなる。第２２膨出部１０３Ｂは、半球状に形成されている。第２２ばね１０４は、一端が第２２吐出路１０１Ｂにおける第２３吐出路１０１Ｃ側の端面に当接し、他端が第２２弁体１０３の第２２付勢部１０３Ａに当接している。第２吐出弁１００には、燃料供給通路１２の一端が連結されている。すなわち、第２吐出弁１００は、第２２吐出路１０１Ｂ及び第２３吐出路１０１Ｃが燃料供給通路１２と連通している。
【００２５】
第２ポンプ部８０は、第２シリンダ８５に挿通され、該第２シリンダ８５内を摺動可能な第２プランジャ１１０を有している。第２プランジャ１１０は、円柱棒状に形成されていて、その一端部（図２の上端部）が第２挿通体８４側から第２シリンダ８５に挿通されている。第２プランジャ１１０の他端部は、ケース部７０の内域に配置されている。第２プランジャ１１０の他端部には、第２凹条１１０Ａが形成されている。第２凹条１１０Ａは、周方向全周に亘って延びている。そのため、第２プランジャ１１０は、第２凹条１１０Ａが形成されている部分が部分的に縮径されたようになっている。第２凹条１１０Ａには、円環板状の第２台座１１１が連結されている。
【００２６】
第２台座１１１は、第２凹条１１０Ａに挿通されている第２中央部１１１Ａと、該第２中央部１１１Ａから径方向外側に湾曲して延びている第２湾曲部１１１Ｂと、第２湾曲部１１１Ｂから径方向外側に平板状に延びている第２平板部１１１Ｃとからなる。第２平板部１１１Ｃと第２固定部８１の第２挿通体８４との間には、第２圧縮ばね１１２が配置されている。第２圧縮ばね１１２は、第２台座１１１を第２固定部８１から離間する方向、すなわち、第２プランジャ１１０を第２シリンダ８５から引き抜く方向（図２の下方）に付勢している。なお、第２シリンダ８５、第２プランジャ１１０、第２１小径部８６Ａ、第２１吸入路９１Ａ、第２２吸入路９１Ｂ、第２２小径部８７Ａ、及び第２１吐出路１０１Ａによって、第２ポンプ部８０の第２加圧室１１３が構成されている。
【００２７】
ケース部７０には、可動体１３０が配置されている。可動体１３０は、ケース部７０の内部において、上記軸方向における中央部分に配置されている。可動体１３０は、略円筒形状に形成されている筒部１３１を有している。筒部１３１は、周方向の一部が切り欠かれた形状に形成されていて、軸方向視においてＣ字状に形成されている。すなわち、筒部１３１には、周方向における一部に開口１３１Ａが形成されている。筒部１３１は、その外径が第１ストッパ７３及び第２ストッパ７４の内径よりも小さく、第１ストッパ７３及び第２ストッパ７４の内域を通過して上記軸方向に延びている。そのため、筒部１３１の一端（図２の下端）は、第１ストッパ７３よりも第１側壁７１側に配置され、筒部１３１の他端（図２の上端）は、第２ストッパ７４よりも第２側壁７５側に配置されている。
【００２８】
筒部１３１の一端には、円板形状に形成されている第１円板部１３２が連結されている。第１円板部１３２の外径は、筒部１３１の外径よりも大きい。また、第１円板部１３２の外径は、第１ストッパ７３及び第２ストッパ７４の内径よりも大きい。一方で、第１円板部１３２の外径は、周壁７２の内径よりは小さい。第１円板部１３２には、その中央部分から第１側壁７１側に立設された第１保持部１３３が設けられている。第１保持部１３３は、円柱状に形成されている。第１保持部１３３の外径は、筒部１３１の外径よりも小さい。第１保持部１３３には、棒状に形成されていて、第１プランジャ６０に当接している第１押圧部１３４が設けられている。そのため、第１プランジャ６０は、第１圧縮ばね６２の付勢力により、第１押圧部１３４に押し付けられた状態になっている。
【００２９】
筒部１３１の他端には、円板形状に形成されている第２円板部１３５が連結されている。第２円板部１３５の外径は、筒部１３１の外径よりも大きい。また、第２円板部１３５の外径は、第１ストッパ７３及び第２ストッパ７４の内径よりも大きい。一方で、第２円板部１３５の外径は、周壁７２の内径よりは小さい。第２円板部１３５には、その中央部分から第２側壁７５側に立設された第２保持部１３６が設けられている。第２保持部１３６は、円柱状に形成されている。第２保持部１３６の外径は、筒部１３１の外径よりも小さい。第２保持部１３６には、棒状に形成されていて、第２プランジャ１１０に当接している第２押圧部１３７が設けられている。そのため、第２プランジャ１１０は、第２圧縮ばね１１２の付勢力により、第２押圧部１３７に押し付けられた状態になっている。
【００３０】
可動体１３０は、磁性体によって構成されていて、第１円板部１３２が第１ストッパ７３に当接するまで第２側壁７５側（図２の上側）に移動可能であるとともに、第２円板部１３５が第２ストッパ７４に当接するまで第１側壁７１側（図２の下側）に移動可能である。燃料ポンプ２０には、こうして可動体１３０を上記軸方向に移動させるための駆動機構１４０が設けられている。
【００３１】
駆動機構１４０は、複数の磁石１５０と、該複数の磁石１５０の各々の外周に設けられた複数の歯車１６０を有している。複数の磁石１５０は、円柱状に形成されていて、直径を境界として一方側の半分が図２にドットで示すようにＮ極であり、他方側の半分がＳ極になっている。各磁石１５０は、上記直交方向（図２の左右方向）に配列されていて、磁石列１５０Ａを構成している。磁石列１５０Ａは、上記軸方向（図２の上下方向）において、第１ストッパ７３及び第２ストッパ７４の中間に配置されている。すなわち、第１ストッパ７３及び第２ストッパ７４の中間を通過して、上記直交方向に延びている仮想線Ｌ２上に各磁石１５０は配置されている。各磁石１５０は、可動体１３０が移動した際のいずれの位置に拘わらず、該可動体１３０から離間するように配置されている。
【００３２】
各磁石１５０において、隣り合う磁石１５０における磁極の配置方向は、９０°ずれている。なお、以下では、各磁石１５０において、第１ポンプ部３０側を下側、第２ポンプ部８０側を上側、磁石列１５０Ａにおける一端（図２の左端）側を左側、磁石列１５０Ａにおける他端（図２の右端）側を右側という。磁石１５０の配列方向における左端に配置されている第１磁石１５１は、図２に示す軸方向視において、上半分がＮ極であり、下半分がＳ極である。また、第１磁石１５１の隣に配置されている第２磁石１５２は、同軸方向視において、右半分がＮ極であり、左半分がＳ極である。第２磁石１５２の隣に配置されている第３磁石１５３は、同軸方向視において、下半分がＮ極であり、上半分がＳ極である。第３磁石１５３の隣に配置されている磁石、すなわち磁石１５０の配列方向において中央に配置されている第４磁石１５４は、同軸方向視において、左半分がＮ極であり、右半分がＳ極である。第４磁石１５４の隣に配置されている第５磁石１５５は、同軸方向視において、上半分がＮ極であり、下半分がＳ極である。第５磁石１５５の隣に配置されている第６磁石１５６は、同軸方向視において、右半分がＮ極であり、左半分がＳ極である。第６磁石１５６の隣に配置されている磁石１５０、すなわち磁石１５０の配列方向における他端（図２の右端）に配置されている第７磁石１５７は、同軸方向視において、下半分がＮ極であり、上半分がＳ極である。このように磁石列１５０Ａは、位相の異なる７つの磁石１５０によって構成されている。
【００３３】
図３に示すように、各歯車１６０は、円筒状に形成されていて、それらの内周面には磁石１５０の外周面が固定されている。各歯車１６０は、磁石１５０の配列方向と同じ方向に配列されている。各歯車１６０は、隣接して配置された歯車１６０が噛み合っており歯車列１６０Ａを構成している。第１磁石１５１には、その中心軸線を回転中心として該第１磁石１５１を回転させることが可能なモータ１７０が組付けられている。モータ１７０は、例えば、その回転軸が第１磁石１５１の中心軸線上に配置された状態で、該回転軸が第１磁石１５１に連結されている。各磁石１５０及び各歯車１６０、並びにモータ１７０は、可動体１３０の筒部１３１の内域に配置されている。各磁石１５０及びモータ１７０には、図示しない支持具が連結されている。支持部は、可動体１３０の筒部１３１の開口１３１Ａを通じて筒部１３１の外部まで延びていて、ケース部７０に連結されている。各磁石１５０は、支持具によって回転可能に支持されている。
【００３４】
図４に示すように、各磁石１５０の位相が上述した配置になっているときの磁石列１５０Ａにおける各磁石１５０の配列を第１ハルバッハ配列という。この配列では、図４に矢印で示すように、磁石列１５０Ａの一方側（図４の下側）に磁場が集中して発生する。すなわち、第１ハルバッハ配列となるように各磁石１５０を配列した場合には、磁石列１５０Ａの他方側（図４の上側）には磁場がほとんど発生しない。この状態から、モータ１７０によって第１磁石１５１を時計回り方向に９０°回転させたときの各磁石１５０の位相を図５に示している。なお、第１磁石１５１を時計回り方向に９０°回転させると、各歯車１６０の噛み合いによって他の磁石１５０も回転する。すなわち、第２磁石１５２は反時計回りに９０°回転し、第３磁石１５３は時計回りに９０°回転する。また、第４磁石１５４は反時計回りに９０°回転し、第５磁石１５５は時計回りに９０°回転する。さらには、第６磁石１５６は反時計回りに９０°回転し、第７磁石１５７は時計回りに９０°回転する。
【００３５】
図５に示すように、こうして位相を変化させると、第１磁石１５１は、図５に示す軸方向視において、右半分がＮ極となり、左半分がＳ極となる。第２磁石１５２は、同軸方向視において、上半分がＮ極となり、下半分がＳ極となる。第３磁石１５３は、同軸方向視において、左半分がＮ極となり、右半分がＳ極となる。第４磁石１５４は、同軸方向視において、下半分がＮ極となり、上半分がＳ極となる。第５磁石１５５は、同軸方向視において、右半分がＮ極となり、左半分がＳ極となる。第６磁石１５６は、同軸方向視において、上半分がＮ極となり、下半分がＳ極となる。第７磁石１５７は、同軸方向視において、左半分がＮ極となり、右半分がＳ極となる。各磁石１５０の位相がこのような配置になっているときの磁石列１５０Ａにおける各磁石１５０の配列を第２ハルバッハ配列という。この配列では、図５に矢印で示すように、磁石列１５０Ａの上記他方側（図５の上側）に磁場が集中して発生する。すなわち、第２ハルバッハ配列となるように各磁石１５０を配列した場合には、磁石列１５０Ａの上記一方側（図５の下側）には磁場がほとんど発生しない。
【００３６】
図２に示すように、燃料ポンプ２０には、制御装置１７１が設けられている。制御装置１７１は、ケース部７０の内域であって、可動体１３０の外部に配置されている。モータ１７０及び制御装置１７１には、図示しない外部電源から電力が供給されている。制御装置１７１は、モータ１７０の回転状態を制御することでモータ１７０の回転軸を回転させる。これにより、第１磁石１５１が回転して歯車１６０が回転することにより、各磁石１５０の位相を変化させる。すなわち、制御装置１７１は、磁石列１５０Ａにおける各磁石１５０の配列が第１ハルバッハ配列となっている状態から、モータ１７０を回転させて第１磁石１５１を時計回り方向に９０°回転させることにより、磁石列１５０Ａにおける各磁石１５０の配列を第２ハルバッハ配列に変化させる。また、制御装置１７１は、磁石列１５０Ａにおける各磁石１５０の配列が第２ハルバッハ配列となっている状態から、モータ１７０を回転させて第１磁石１５１を反時計回り方向に９０°回転させることにより、磁石列１５０Ａにおける各磁石１５０の配列を第１ハルバッハ配列に変化させる。このように、モータ１７０及び制御装置１７１は、磁石列１５０Ａにおける各磁石１５０の配列を、第１ハルバッハ配列と第２ハルバッハ配列とに切り換える。そのため、モータ１７０及び制御装置１７１は、アクチュエータとして機能する。
【００３７】
次に、図６及び図７を参照して、燃料ポンプ２０の駆動態様について説明する。
図６に示すように、磁石列１５０Ａの配列が第１ハルバッハ配列となっているときには、磁石列１５０Ａにおいて、第１ポンプ部３０側の一方側（図６の下側）に磁場が集中して発生し、第２ポンプ部８０側の他方側（図６の上側）には磁場がほとんど発生しない。可動体１３０は磁性体であることから、こうして発生した磁場によって可動体１３０の第１円板部１３２が着磁される。その結果、図６に白抜きの矢印で示すように、第１円板部１３２が磁石列１５０Ａ側に引き寄せられるように第１方向（図６の上方）に可動体１３０が移動する。可動体１３０は、第１円板部１３２が第１ストッパ７３に当接するまで移動する。
【００３８】
こうして可動体１３０が移動したときには、第１ポンプ部３０においては、第１プランジャ６０が第１圧縮ばね６２の付勢力によって第１シリンダ３５から引き抜かれる方向に移動する。その結果、第１ポンプ部３０の第１加圧室６３の容積が増大して該第１加圧室６３内の圧力が低下する。第１ポンプ部３０の第１吸入弁４０の第１１弁体４３には、開弁方向に燃料タンク１１内の圧力が作用しており、閉弁方向に第１加圧室６３内の圧力及び第１１ばね４４の付勢力が作用している。第１加圧室６３内の圧力が低下して、第１１弁体４３を閉弁方向に付勢する力が第１１弁体４３を開弁方向に付勢する力よりも弱くなり、第１１弁体４３が開弁すると、図６に実線の矢印で示すように、第１加圧室６３に燃料タンク１１内の燃料が吸引される。なお、このときには、第１吐出弁５０は閉弁状態であるように、第１２弁体５３に第１２ばね５４の付勢力及び低圧燃料配管１２０内の圧力が作用している。
【００３９】
また、上述したように第１円板部１３２が磁石列１５０Ａ側に引き寄せられるように可動体１３０が移動したときには、第２ポンプ部８０においては、第２プランジャ１１０が第２圧縮ばね１１２の付勢力に抗して第２シリンダ８５に挿入される方向に移動する。その結果、第２ポンプ部８０の第２加圧室１１３の容積が減少して該第２加圧室１１３内の圧力が増大する。第２ポンプ部８０の第２加圧室１１３には、後述するように燃料が供給されていることから、第２加圧室１１３内の圧力が増大することで、第２ポンプ部８０の第２吐出弁１００が開弁する。すなわち、第２吐出弁１００の第２２弁体１０３には、開弁方向に第２加圧室１１３内の圧力が作用しており、閉弁方向に燃料供給通路１２内の圧力及び第２２ばね１０４の付勢力が作用している。第２加圧室１１３内の圧力が増大して、第２２弁体１０３を開弁方向に付勢する力が第２２弁体１０３を閉弁方向に付勢する力よりも強くなり、第２２弁体１０３が開弁すると、図６に実線の矢印で示すように、第２加圧室１１３から燃料供給通路１２に燃料が吐出される。なお、このときには、第２吸入弁９０は閉弁状態であるように、第２１弁体９３に第２１ばね９４の付勢力及び第２加圧室１１３内の圧力が作用している。
【００４０】
一方で、図７に示すように、制御装置１７１がモータ１７０を回転させて第１磁石１５１を時計回り方向に９０°回転させると、磁石列１５０Ａにおける各磁石１５０の配列が第２ハルバッハ配列となる。磁石列１５０Ａの配列が第２ハルバッハ配列となっているときには、磁石列１５０Ａにおいて、第２ポンプ部８０側の他方側（図７の上側）に磁場が集中して発生し、第１ポンプ部３０側の一方側（図７の下側）には磁場がほとんど発生しない。そのため、可動体１３０の第１円板部１３２は消磁される一方で、磁石列１５０Ａの他方側に発生した磁場によって可動体１３０の第２円板部１３５が着磁される。その結果、図７に白抜きの矢印で示すように、第２円板部１３５が磁石列１５０Ａ側に引き寄せられるように可動体１３０が第１方向と反対方向の第２方向（図７の下方）に移動する。可動体１３０は、第２円板部１３５が第２ストッパ７４に当接するまで移動する。
【００４１】
こうして可動体１３０が移動したときには、第１ポンプ部３０においては、第１プランジャ６０が第１圧縮ばね６２の付勢力に抗して第１シリンダ３５に挿入される方向に移動する。その結果、第１ポンプ部３０の第１加圧室６３の容積が減少して該第１加圧室６３内の圧力が増大する。燃料タンク１１内から第１ポンプ部３０の第１加圧室６３に吸引された燃料は、第１加圧室６３内において加圧され、第１ポンプ部３０の第１吐出弁５０から低圧燃料配管１２０に吐出される。すなわち、第１吐出弁５０の第１２弁体５３には、開弁方向に第１加圧室６３内の圧力が作用しており、閉弁方向に低圧燃料配管１２０内の圧力及び第１２ばね５４の付勢力が作用している。第１加圧室６３内の圧力が増大して、第１２弁体５３を開弁方向に付勢する力が第１２弁体５３を閉弁方向に付勢する力よりも強くなり、第１２弁体５３が開弁すると、図７に実線の矢印で示すように、第１加圧室６３から低圧燃料配管１２０に燃料が吐出される。なお、このときには、第１吸入弁４０は閉弁状態であるように、第１１弁体４３に第１１ばね４４の付勢力及び第１加圧室６３内の圧力が作用している。
【００４２】
また、上述したように第２円板部１３５が磁石列１５０Ａ側に引き寄せられるように可動体１３０が移動したときには、第２ポンプ部８０においては、第２プランジャ１１０が第２圧縮ばね１１２の付勢力によって第２シリンダ８５から引き抜かれる方向に移動する。その結果、第２ポンプ部８０の第２加圧室１１３の容積が増大して該第２加圧室１１３内の圧力が低下する。第２ポンプ部８０の第２吸入弁９０の第２１弁体９３には、開弁方向に低圧燃料配管１２０内の圧力が作用しており、閉弁方向に第２加圧室１１３内の圧力及び第２１ばね９４の付勢力が作用している。第２加圧室１１３内の圧力が低下して、第２１弁体９３を閉弁方向に付勢する力が第２１弁体９３を開弁方向に付勢する力よりも弱くなり、第２１弁体９３が開弁すると、図７に実線の矢印で示すように、低圧燃料配管１２０から第２加圧室１１３に燃料が供給される。なお、このときには、第２吐出弁１００は閉弁状態であるように、第２２弁体１０３に第２２ばね１０４の付勢力及び燃料供給通路１２内の圧力が作用している。
【００４３】
また、制御装置１７１がモータ１７０を回転させて第１磁石１５１を反時計回り方向に９０°回転させると、磁石列１５０Ａにおける各磁石１５０の配列が、図６に示すように第１ハルバッハ配列に変化する。これにより、可動体１３０が第１方向に移動する。このように、燃料ポンプ２０では、磁石列１５０Ａにおける各磁石１５０の位相を変化させることにより、磁石列１５０Ａを第１ハルバッハ配列と第２ハルバッハ配列とで繰り返し切り換えている。そしてこれにより、可動体１３０を、第１方向及び第２方向に移動させて往復動させる。可動体１３０が往復動すると、該可動体１３０に当接している第１プランジャ６０及び第２プランジャ１１０も同方向に往復動し、第１加圧室６３及び第２加圧室１１３内の燃料を加圧する。燃料ポンプ２０では、こうして可動体１３０、第１プランジャ６０、及び第２プランジャ１１０を移動させることにより、燃料タンク１１内の燃料を燃料供給通路１２に圧送している。すなわち、第１プランジャ６０、第２プランジャ１１０、及び可動体１３０が可動子として機能している。
【００４４】
本実施形態の作用効果について説明する。
（１）本実施形態では、磁石列１５０Ａにおける各磁石１５０の位相を変化させることにより、複数の磁石１５０の配列を第１ハルバッハ配列及び第２ハルバッハ配列とで切り換えている。磁石１５０の配列が切り換わると、磁場の発生方向が変化して可動子の移動方向が変化する。このように、磁場の発生方向を制御することにより、可動子を往復動させて燃料を加圧する。したがって、可動子を駆動させる駆動機構１４０としてハルバッハ配列によって配列された磁石１５０を用いた全く新しい構造を提供することができる。
【００４５】
（２）燃料ポンプの構成として、可動子と直接接触して該可動子を往復動させる駆動機構を備えたものが知られている（例えば、特開２０１７‐０６７０３８号公報など）。本実施形態では、駆動機構１４０が可動子から離間して配置されており、可動子を駆動させる際に、可動子と駆動機構１４０との接触を抑えることができる。そのため、可動子と駆動機構とが接触することに伴って必須となっていた燃料ポンプの耐久性に係る構成を省略することが可能となる。
【００４６】
上記実施形態は以下のように変更して実施することができる。以下の変更例は、互いに適宜組み合わせて実施することも可能である。
・上記実施形態では、モータ１７０を第１磁石１５１に連結して第１磁石１５１を回転させることにより歯車１６０を回転させるようにしていたが、モータ１７０を第１磁石１５１の外周に設けられた歯車１６０に連結して該歯車１６０を回転させる構成としてもよい。こうした構成であっても、磁石列１５０Ａにおける各磁石１５０の位相を変化させることは可能である。
【００４７】
・上記実施形態では、モータ１７０を第１磁石１５１に連結したが、モータ１７０を他の磁石１５０または歯車１６０に連結してもよい。こうした構成においても、モータ１７０が連結された磁石１５０を回転させることで、歯車１６０を介して他の磁石の位相を変化させることができる。
【００４８】
・上記実施形態では、各磁石１５０と各歯車１６０とを別部材で構成したが、これらを一体物として構成してもよい。すなわち、外周面が歯車状に形成されている磁石体を配列することにより磁石列及び歯車列を構成することも可能である。この場合には、各磁石体は、磁石として機能するだけでなく、各磁石体の磁極の位相を変更するための歯車としても機能することとなる。
【００４９】
・磁石列１５０Ａを、上記軸方向において、第１ストッパ７３及び第２ストッパ７４の中間に配置したが、磁石列１５０Ａの位置は上述したものに限られない。例えば、磁石列１５０Ａの位置を、図８に示すように、第１ストッパ７３及び第２ストッパ７４の中間からずれた位置に設定することも可能である。
【００５０】
図８に示すように、磁石列１５０Ａは、第１ストッパ７３及び第２ストッパ７４の中間を通過して、上記直交方向に延びている仮想線Ｌ２よりも第１プランジャ６０側（図８の下側）に配置されている。すなわち、上記軸方向（図８の上下方向）において、磁石列１５０Ａから第１ストッパ７３までの距離は、磁石列１５０Ａから第２ストッパ７４までの距離よりも短い。そのため、可動体１３０の第１円板部１３２が第１ストッパ７３に当接したときの第１円板部１３２から磁石列１５０Ａまでの距離は、可動体１３０の第２円板部１３５が第２ストッパ７４に当接したときの第２円板部１３５から磁石列１５０Ａまでの距離よりも短くなる。可動体１３０が着磁されたときの移動に係る力は、磁石列１５０Ａまでの距離が短いほど強くなる。そのため、第１円板部１３２が着磁されて可動体１３０が第２プランジャ１１０側（図８の上側）に移動するときの力は、第２円板部１３５が着磁されて可動体１３０が第１プランジャ６０側に移動するときの力よりも強くなる。したがって、この構成によれば、第２ポンプ部８０において、第２プランジャ１１０が第２加圧室１１３内の燃料を加圧する力を、第１ポンプ部３０において、第１プランジャ６０が第１加圧室６３内の燃料を加圧する力よりも大きくすることができる。そのため、より高圧の燃料を燃料供給通路１２に供給することが可能になる。
【００５１】
・上記実施形態では、制御装置１７１によりモータ１７０を駆動して、各磁石１５０の位相を９０°の範囲で変化させる例を示した。磁石１５０の位相の変化態様はこうしたものに限らない。磁石列１５０Ａにおける各磁石１５０の配列を第１ハルバッハ配列とした状態から、第１磁石１５１を時計回り方向に４５°回転させると、磁石列１５０Ａの一方側及び他方側に磁場がほとんど発生しない状態とすることができる。そして、その状態から更に時計回り方向に回転させることで、磁石列１５０Ａにおける各磁石１５０の配列が第２ハルバッハ配列となり、磁石列１５０Ａの上記他方側に磁場が発生する。磁石列１５０Ａの他方側に発生する磁場は、各磁石１５０の回転角度が９０°に近づくにつれて大きくなる。このように、磁石列１５０Ａにおいて発生する磁場の強さは、各磁石１５０の位相に応じて変化する。そのため、例えば、上記実施形態において、制御装置１７１によってモータ１７０の駆動量を制御して各磁石１５０の回転角度を調節することで、磁石列１５０Ａに発生する磁場の強さを調節し、可動体１３０の移動速度を変化させることも可能である。こうした構成を採用すれば、燃料ポンプ２０の単位時間当たりの吐出量を車載エンジンの運転状態に応じて調節することも可能になる。
【００５２】
・上記実施形態では、可動体１３０を第１ストッパ７３及び第２ストッパ７４に当接するまで第１方向及び第２方向に往復動させる駆動例を示したが、可動体１３０の駆動態様はこれに限らない。例えば、可動体１３０が第１ストッパ７３に当接する前に磁石列１５０Ａにおける各磁石１５０の配列を第１ハルバッハ配列から第２ハルバッハ配列に変更することで、可動体１３０を第１ストッパ７３に当接させない構成とすることも可能である。また、可動体１３０が第２ストッパ７４に当接する前に磁石列１５０Ａにおける各磁石１５０の配列を第２ハルバッハ配列から第１ハルバッハ配列に変更することで、可動体１３０を第２ストッパ７４に当接させない構成とすることも可能である。すなわち、可動体１３０を第１ストッパ７３及び第２ストッパ７４の両方に当接しない範囲で移動させてもよい。このように、可動体１３０は、必ずしも第１ストッパ７３及び第２ストッパ７４に当接するまで移動させる必要はなく、磁石列１５０Ａにおける各磁石１５０の配列の切り換えタイミングを制御することにより、可動体１３０の移動範囲を適宜変更するが可能である。こうした構成によれば、可動体１３０の移動量の変化に伴い、第１プランジャ６０や第２プランジャ１１０が移動する距離も変化し、第１ポンプ部３０及び第２ポンプ部８０における燃料の吸引量や吐出量を制御することが可能になる。したがって、こうした構成によれば、車載エンジンの運転状態に応じて燃料ポンプ２０の吐出量を調節することが可能になる。
【００５３】
・第１ストッパ７３及び第２ストッパ７４の少なくとも一方を省略することも可能である。この場合には、駆動機構１４０は、可動体１３０が歯車列１６０Ａに当接してから磁石列１５０Ａにおける各磁石１５０の配列を切り換えるようにしてもよいし、可動体１３０が歯車列１６０Ａに当接する前に磁石列１５０Ａにおける各磁石１５０の配列を切り換えるようにしてもよい。
【００５４】
・可動体１３０の構成は、上述したものに限らず、適宜変更することができる。例えば、図９に示すような構成を作用することも可能である。なお、図９に示す構成において、上記実施形態と同様の構成については、共通の符号を付して説明を省略する。
【００５５】
図９に示すように、可動体１３０の第１保持部１３３には、第１コイル２０１が埋設されている。第１コイル２０１は、軸線Ｌ１を中心として巻かれた形状に形成されている。第１コイル２０１は、通電されることにより、磁場を発生させる。また、可動体１３０の第２保持部１３６には、第２コイル２０２が埋設されている。第２コイル２０２は、上記軸線Ｌ１を中心として巻かれた形状に形成されている。第２コイル２０２は、通電されることにより、磁場を発生させる。制御装置１７１は、第１コイル２０１及び第２コイル２０２への通電状態を制御する。
【００５６】
この燃料ポンプ２００では、磁石列１５０Ａにおける各磁石１５０の配列が第１ハルバッハ配列となっており、磁石列１５０Ａの一方側（図９の下側）に磁場が集中して発生しているときには、制御装置１７１は第１コイル２０１を通電状態とする。これにより、第１保持部１３３をより磁化して、第１円板部１３２が磁石列１５０Ａ側に引きつけられる力を増大させる。なお、この状態では、制御装置１７１は第２コイル２０２を非通電状態とする。
【００５７】
その後、磁石列１５０Ａの各磁石１５０における配列が第２ハルバッハ配列に切り換えられ、磁石列１５０Ａにおいて、第２ポンプ部８０側の他方側（図９の上側）に磁場が集中して発生しているときには、制御装置１７１は、第１コイル２０１を非通電状態とするとともに、第２コイル２０２を通電状態にする。これにより、第２保持部１３６をより磁化して、第２円板部１３５が磁石列１５０Ａに引きつけられる力を増大させる。こうした構成によれば、第１コイル２０１及び第２コイル２０２を通電状態とせずに、磁石列１５０Ａの磁場の作用のみによって可動体１３０を移動させる場合に比して、可動体１３０を移動させる力やその移動速度を増大させることができる。なお、第１コイル２０１及び第２コイル２０２への通電量を変化させることにより、可動体１３０の移動速度を調節できることはいうまでもない。また、上記構成において、第１コイル２０１及び第２コイル２０２を可動体１３０に埋設せずに、例えば、第１保持部１３３の外周面や、第２保持部１３６の外周面に巻き付けた構成としてもよい。さらには、上記構成において、第１コイル２０１及び第２コイル２０２の一方のみを備える構成としてもよい。
【００５８】
・燃料ポンプ２０において磁石列１５０Ａの数は適宜変更が可能である。例えば、図１０に示すように、磁石列１５０Ａを２つ備える構成としてもよい。なお、図１０に示す構成において、上記実施形態と同様の構成については、共通の符号を付して説明を省略する。
【００５９】
図１０に示すように、燃料ポンプ３００の可動体３３０は、略円筒形状に形成されている筒部３３１を有している。筒部３３１は、周方向の一部が切り欠かれた形状に形成されていて、軸方向視においてＣ字状に形成されている。すなわち、筒部３３１には、周方向における一部に開口３３１Ａが形成されている。筒部３３１は、その外径が第１ストッパ７３及び第２ストッパ７４の内径よりも小さく、第１ストッパ７３及び第２ストッパ７４の内域を通過して上記軸方向（図１０の上下方向）に延びている。そのため、筒部３３１の一端（図１０の下端）は、第１ストッパ７３よりも第１側壁７１側に配置され、筒部３３１の他端（図１０の上端）は、第２ストッパ７４よりも第２側壁７５側に配置されている。
【００６０】
筒部３３１には、その外周面に第１係止部３４１及び第２係止部３４２が設けられている。第１係止部３４１は、上記軸方向において、筒部３３１の一端と第１ストッパ７３との間に配置されている。第１係止部３４１は、筒部３３１の外周面から立設されていて、周方向全周に亘って設けられている。第１係止部３４１の外径は、ケース部７０の周壁７２の内径よりも小さく、第１ストッパ７３の内径よりは大きい。第２係止部３４２は、上記軸方向において、筒部３３１の他端と第２ストッパ７４との間に配置されている。第２係止部３４２は、筒部３３１の外周面から立設されていて、周方向全周に亘って設けられている。第２係止部３４２の外径は、ケース部７０の周壁７２の内径よりも小さく、第２ストッパ７４の内径よりは大きい。
【００６１】
筒部３３１の一端には、円板形状に形成されている第１円板部３３２が連結されている。第１円板部３３２の外径は、筒部３３１の外径と同じである。第１円板部３３２には、その中央部分から第１側壁７１側に立設された第１保持部３３３が設けられている。第１保持部３３３は、円柱状に形成されている。第１保持部３３３の外径は、筒部３３１の外径よりも小さい。第１保持部３３３には、棒状に形成されていて、第１プランジャ６０に当接している第１押圧部３３４が設けられている。
【００６２】
筒部３３１の他端には、円板形状に形成されている第２円板部３３５が連結されている。第２円板部３３５の外径は、筒部３３１の外径と同じである。第２円板部３３５には、その中央部分から第２側壁７５側に立設された第２保持部３３６が設けられている。第２保持部３３６は、円柱状に形成されている。第２保持部３３６の外径は、筒部３３１の外径よりも小さい。第２保持部３３６には、棒状に形成されていて、第２プランジャ１１０に当接している第２押圧部３３７が設けられている。
【００６３】
筒部３３１には、第１円板部３３２及び第２円板部３３５との間に第３円板部３３８が設けられている。第３円板部３３８の外径は、筒部３３１の内径と同じであり、第３円板部３３８の外周面が筒部３３１の内周面に連結されている。上記軸方向において、第３円板部３３８から第１円板部３３２までの距離と、第３円板部３３８から第２円板部３３５までの距離は同じである。筒部３３１の内域は、第３円板部３３８によって第１ポンプ部３０側の第１収容室３３９と第２ポンプ部８０側の第２収容室３４０とに仕切られている。
【００６４】
可動体３３０は、磁性体によって構成されていて、第１係止部３４１が第１ストッパ７３に当接するまで第２側壁７５側（図１０の上側）に移動可能であるとともに、第２係止部３４２が第２ストッパ７４に当接するまで第１側壁７１側（図１０の下側）に移動可能である。燃料ポンプ３００には、こうして可動体３３０を上記軸方向に移動させるための駆動機構３８０が設けられている。
【００６５】
駆動機構３８０は、複数の磁石３５０と、該複数の磁石３５０の各々の外周に設けられた複数の歯車３６０とを有している。複数の磁石３５０は、上記直交方向（図１０の左右方向）に配列されていて、第１磁石列３５０Ａと第２磁石列３５０Ｂとを構成している。第１磁石列３５０Ａは第１収容室３３９に配置され、第２磁石列３５０Ｂは第２収容室３４０に配置されている。第１磁石列３５０Ａを構成している各磁石３５０の外周に設けられている複数の歯車３６０は、隣接して配置された歯車３６０が噛み合っており、磁石３５０の配列方向と同じ方向に配列された第１歯車列３６０Ａを構成している。第１磁石列３５０Ａを構成している磁石３５０のうち、一端（図１０の左端）に配置された磁石３５０には、その中心軸線を回転中心として該磁石３５０を回転させることが可能な第１モータ３７１が組付けられている。
【００６６】
第２磁石列３５０Ｂを構成している各磁石３５０の外周に設けられている複数の歯車３６０は、隣接して配置された歯車３６０が噛み合っており、磁石３５０の配列方向と同じ方向に配列された第２歯車列３６０Ｂを構成している。第２磁石列３５０Ｂを構成している磁石３５０のうち、一端（図１０の左端）に配置された磁石３５０には、その中心軸線を回転中心として該磁石３５０を回転させることが可能な第２モータ３７２が組付けられている。各磁石３５０、第１モータ３７１、及び第２モータ３７２には、図示しない支持具が連結されている。支持部は、可動体３３０の筒部３３１の開口３３１Ａを通じて筒部３３１の外部まで延びていて、ケース部７０に連結されている。各磁石３５０は、支持具によって回転可能に支持されている。
【００６７】
制御装置１７１は、第１モータ３７１の回転状態を制御することで第１モータ３７１が組付けられている磁石３５０を回転させて、第１磁石列３５０Ａにおける各磁石３５０の位相を変化させる。これにより、第１磁石列３５０Ａにおける各磁石３５０の配列は、第１磁石列３５０Ａの一方側（図１０の下側）に磁場が集中して発生する第１ハルバッハ配列と、第１磁石列３５０Ａの他方側（図１０の上側）に磁場が集中して発生する第２ハルバッハ配列とで切り換えられる。また、制御装置１７１は、第２モータ３７２の回転状態を制御することで第２モータ３７２が組付けられている磁石３５０を回転させて、第２磁石列３５０Ｂにおける各磁石３５０の位相を変化させる。これにより、第２磁石列３５０Ｂにおける各磁石３５０の配列は、第２磁石列３５０Ｂの一方側（図１０の下側）に磁場が集中して発生する第１ハルバッハ配列と、第２磁石列３５０Ｂの他方側（図１０の上側）に磁場が集中して発生する第２ハルバッハ配列とで切り換えられる。すなわち、制御装置１７１は、第１磁石列３５０Ａ及び第２磁石列３５０Ｂにおける各磁石３５０の配列を第１ハルバッハ配列とすることで、各磁石列３５０Ａ，３５０Ｂの上記一方側に磁場を集中して発生させ、各磁石列３５０Ａ，３５０Ｂの上記他方側には磁場がほとんど発生しない状態とする。可動体３３０は磁性体であることから、こうして発生した磁場によって、可動体３３０の第１円板部３３２及び第３円板部３３８が着磁される。その結果、第１円板部３３２が第１磁石列３５０Ａ側に引き寄せられ、第３円板部３３８が第２磁石列３５０Ｂ側に引き寄せられるように第１方向（図１０の上方）に可動体３３０が移動する。
【００６８】
また、制御装置１７１は、第１モータ３７１及び第２モータ３７２を駆動して、第１磁石列３５０Ａ及び第２磁石列３５０Ｂの各磁石３５０の位相を変化させることにより、第１磁石列３５０Ａ及び第２磁石列３５０Ｂにおける各磁石３５０の配列を第２ハルバッハ配列とする。各磁石列３５０Ａ，３５０Ｂの配列が第２ハルバッハ配列となっているときには、各磁石列３５０Ａ，３５０Ｂにおいて、上記他方側に磁場が集中して発生し、上記一方側には磁場がほとんど発生しない。そのため、可動体３３０の第１円板部３３２は消磁される一方で、第１磁石列３５０Ａの上記他方側に発生した磁場によって第３円板部３３８が着磁され、第２磁石列３５０Ｂの上記他方側に発生した磁場によって第２円板部３３５が着磁される。その結果、第２円板部３３５が第２磁石列３５０Ｂ側に引き寄せられ、第３円板部３３８が第１磁石列３５０Ａ側に引き寄せられるように第１方向とは反対方向の第２方向（図１０の下方）に可動体３３０が移動する。
【００６９】
このように、第１モータ３７１、第２モータ３７２、及び制御装置１７１によって、各磁石列３５０Ａ，３５０Ｂにおける各磁石３５０の配列を、第１ハルバッハ配列と第２ハルバッハ配列とに切り換えることも可能である。
【００７０】
こうした構成では、２つの磁石列３５０Ａ，３５０Ｂの発生する磁場によって可動体３３０を移動させることが可能になる。そのため、可動体３３０の移動速度の増大に貢献できる。なお、この構成において、第１磁石列３５０Ａ及び第２磁石列３５０Ｂの一方のみの磁石３５０の位相を変化させることによって可動体３３０を移動させる場合と、第１磁石列３５０Ａ及び第２磁石列３５０Ｂの双方の磁石３５０の位相を変化させることによって可動体３３０を移動させる場合とを切り換えることにより、可動体３３０の移動速度を調節することも可能である。
【００７１】
・磁石列１５０Ａにおいて、各磁石１５０の外周に設けられている歯車１６０は、隣同士全て噛み合っている例を示したが、歯車１６０が全て噛み合っている必要はない。例えば、第３磁石１５３の外周に設けられている歯車１６０と第４磁石１５４の外周に設けられている歯車１６０とが噛み合っていない構成としてもよい。この場合には、第１磁石１５１、第２磁石１５２、及び第３磁石１５３の位相を変化させるためのモータ１７０と、第４磁石１５４、第５磁石１５５、第６磁石１５６、及び第７磁石１５７の位相を変化させるためのモータとを設ける。この構成では、第１磁石１５１、第２磁石１５２、及び第３磁石１５３の位相と、第４磁石１５４、第５磁石１５５、第６磁石１５６、及び第７磁石１５７の位相とを異なったモータを用いて変化させることとなる。また、第１磁石１５１、第２磁石１５２、及び第３磁石１５３によって構成される磁石列、または、第４磁石１５４、第５磁石１５５、第６磁石１５６、及び第７磁石１５７によって構成される磁石列のいずれか一方の位相のみを変化させる構成とすることも可能である。すなわち、磁石列１５０Ａを構成している各磁石１５０のうち、一部の磁石１５０のみの位相を変化させるようにしてもよい。こうした構成であっても磁石列１５０Ａにおいて、各磁石１５０の配列を部分的であっても第１ハルバッハ配列と第２ハルバッハ配列とで切り換えられればよい。
【００７２】
・磁石列１５０Ａにおける磁石１５０の数は適宜変更が可能である。
・上記実施形態では、可動体１３０を磁性体によって構成し、磁石列１５０Ａが発生する磁場によって着磁することで、該可動体１３０を磁石列１５０Ａ側に移動させる構成を示したが、可動体を移動させる方法はこうした構成に限らない。例えば、可動体を反磁性体によって構成し、磁石列１５０Ａが発生する磁場によって着磁することで、該可動体を磁石列１５０Ａから離間する方向に移動させる構成としてもよい。また、可動体を着磁されない非磁性体によって構成するとともに、第１円板部及び第２円板部に永久磁石を埋設、接着などにより組付ける。この構成では、磁石列１５０Ａが発生する磁場に対する永久磁石の作用により、磁石列１５０Ａに第１円板部及び第２円板部を引きつけたり、または反発させたりすることで可動体を移動させる。
【００７３】
・制御装置１７１をケース部７０の内域であって、可動体１３０の外部に配置した構成を示したが、制御装置１７１の配置は適宜変更が可能である。例えば、ケース部７０の外部に制御装置１７１を設けて、該制御装置１７１からモータ１７０に制御信号を送信することでモータ１７０の回転状態を制御する構成としてもよい。
【００７４】
・上記実施形態では、第１ストッパ７３を第１１ストッパ部７３Ａと第１２ストッパ部７３Ｂとによって構成し、第２ストッパ７４を第２１ストッパ部７４Ａと第２２ストッパ部７４Ｂとによって構成しており、第１ストッパ７３及び第２ストッパ７４を周方向において分断した構成とした。第１ストッパ７３及び第２ストッパ７４の構成は、こうしたものに限らない。例えば、第１ストッパ７３を、周壁７２の内周面の周方向全周に亘って連続して設けるようにしてもよい。この場合には、第１ストッパ７３と可動体１３０の第１円板部１３２とが周方向の全域に亘って当接することとなる。また、第２ストッパ７４を周壁７２の内周面の周方向全周に亘って連続して設けるようにしてもよい。この場合には、第２ストッパ７４と可動体１３０の第２円板部１３５とが周方向の全域に亘って当接することとなる。
【００７５】
・燃料ポンプ２０，２００，３００の構成として、燃料タンク１１内の燃料を吸引する第１ポンプ部３０と、第１ポンプ部３０から吐出された燃料を加圧する第２ポンプ部８０とを備える構成を示したが、燃料ポンプの構成はこれに限らない。例えば、第１ポンプ部３０及び第２ポンプ部８０の一方を省略することも可能である。
【００７６】
・車載エンジンの燃料供給系１０に用いられる燃料ポンプ２０，２００，３００を例に説明したが、車載エンジンの燃料供給系１０以外の燃料供給系に用いられる燃料ポンプに同様の構成を適用することも可能である。
【符号の説明】
【００７７】
１０…燃料供給系、１１…燃料タンク、１２…燃料供給通路、１３…デリバリパイプ、１４…燃料噴射弁、２０…燃料ポンプ、３０…第１ポンプ部、３１…第１固定部、３２…第１本体、３３…第１フランジ、３４…第１挿通体、３５…第１シリンダ、３６…第１１直交孔、３６Ａ…第１１小径部、３６Ｂ…第１１大径部、３７…第１２直交孔、３７Ａ…第１２小径部、３７Ｂ…第１２大径部、４０…第１吸入弁、４１…第１吸入通路、４１Ａ…第１１吸入路、４１Ｂ…第１２吸入路、４１Ｃ…第１３吸入路、４２…第１１逆止弁、４３…第１１弁体、４３Ａ…第１１付勢部、４３Ｂ…第１１膨出部、４４…第１１ばね、５０…第１吐出弁、５１…第１吐出通路、５１Ａ…第１１吐出路、５１Ｂ…第１２吐出路、５１Ｃ…第１３吐出路、５２…第１２逆止弁、５３…第１２弁体、５３Ａ…第１２付勢部、５３Ｂ…第１２膨出部、５４…第１２ばね、６０…第１プランジャ、６０Ａ…第１凹条、６１…第１台座、６１Ａ…第１中央部、６１Ｂ…第１湾曲部、６１Ｃ…第１平板部、６２…第１圧縮ばね、６３…第１加圧室、７０…ケース部、７１…第１側壁、７１Ａ…第１貫通孔、７２…周壁、７３…第１ストッパ、７３Ａ…第１１ストッパ部、７３Ｂ…第１２ストッパ部、７４…第２ストッパ、７４Ａ…第２１ストッパ部、７４Ｂ…第２２ストッパ部、７５…第２側壁、７５Ａ…第２貫通孔、８０…第２ポンプ部、８１…第２固定部、８２…第２本体、８３…第２フランジ、８４…第２挿通体、８５…第２シリンダ、８６…第２１直交孔、８６Ａ…第２１小径部、８６Ｂ…第２１大径部、８７…第２２直交孔、８７Ａ…第２２小径部、８７Ｂ…第２２大径部、９０…第２吸入弁、９１…第２吸入通路、９１Ａ…第２１吸入路、９１Ｂ…第２２吸入路、９１Ｃ…第２３吸入路、９２…第２１逆止弁、９３…第２１弁体、９３Ａ…第２１付勢部、９３Ｂ…第２１膨出部、９４…第２１ばね、１００…第２吐出弁、１０１…第２吐出通路、１０１Ａ…第２１吐出路、１０１Ｂ…第２２吐出路、１０１Ｃ…第２３吐出路、１０２…第２２逆止弁、１０３…第２２弁体、１０３Ａ…第２２付勢部、１０３Ｂ…第２２膨出部、１０４…第２２ばね、１１０…第２プランジャ、１１０Ａ…第２凹条、１１１…第２台座、１１１Ａ…第２中央部、１１１Ｂ…第２湾曲部、１１１Ｃ…第２平板部、１１２…第２圧縮ばね、１１３…第２加圧室、１２０…低圧燃料配管、１３０…可動体、１３１…筒部、１３１Ａ…開口、１３２…第１円板部、１３３…第１保持部、１３４…第１押圧部、１３５…第２円板部、１３６…第２保持部、１３７…第２押圧部、１４０…駆動機構、１５０…磁石、１５０Ａ…磁石列、１５１…第１磁石、１５２…第２磁石、１５３…第３磁石、１５４…第４磁石、１５５…第５磁石、１５６…第６磁石、１５７…第７磁石、１６０…歯車、１６０Ａ…歯車列、１７０…モータ、１７１…制御装置、２００…燃料ポンプ、２０１…第１コイル、２０２…第２コイル、３００…燃料ポンプ、３３０…可動体、３３１…筒部、３３１Ａ…開口、３３２…第１円板部、３３３…第１保持部、３３４…第１押圧部、３３５…第２円板部、３３６…第２保持部、３３７…第２押圧部、３３８…第３円板部、３３９…第１収容室、３４０…第２収容室、３４１…第１係止部、３４２…第２係止部、３５０…磁石、３５０Ａ…第１磁石列、３５０Ｂ…第２磁石列、３６０…歯車、３６０Ａ…第１歯車列、３６０Ｂ…第２歯車列、３７１…第１モータ、３７２…第２モータ、３８０…駆動機構。
【図１】
2019019756.tif 000003
【図２】
2019019756.tif 000004
【図３】
2019019756.tif 000005
【図４】
2019019756.tif 000006
【図５】
2019019756.tif 000007
【図６】
2019019756.tif 000008
【図７】
2019019756.tif 000009
【図８】
2019019756.tif 000010
【図９】
2019019756.tif 000011
【図１０】
2019019756.tif 000012